Podtech/llm-jp-corpus-v4-ja_patent huggingface dataset:
(57)【要約】【課題】従来、骨つぼの下部は、穴があいていないものである．骨を残しておきたいという意味があるのかもしれないが、元来、土にかえるべきものではないのか、穴をあければ水はたまらないし、又、骨が自然風化する１助となるであろう．【特許請求の範囲】
【請求項１】
こくたに、有田焼、唐津焼、または  中国の焼き物でできた骨つぼ
【請求項２】
請求項１記載の骨つぼに趣味で、絵をかけるようにしたもの、これは、プロの手をかりることもできる、また、各々が、好きな絵をかけるようにすることも可能。
【請求項３】
請求項２記載のものに上薬白色をぬる。
【発明の詳細な説明】
【技術分野】
【０００１】本発明は、絵柄のついた骨つぼに関する。
【背景技術】
【０００２】従来の骨つぼは、単なる骨を入れるつぼ以上の意味はなかった。
【発明の開示】
【発明が解決しようとする課題】
【０００３】上記では、人生の終着駅を迎えた人々の、単なる骨をいれるつぼでは、あまりにも無意味である。
【課題を解決するための手段】
【０００４】骨つぼに絵を入れることにより、単なる骨を入れたつぼではなく、その人の生きた人生観、又、一生をうかがい知るための、重要な手がかり、目印とするものである。
【発明の効果】
【０００５】上述したように、本発明の骨つぼは、単なる骨入れではなく、人生を終えられた方々に相応しいものである。
【発明の実施するための最良の形態】
【０００６】以下、本発明の実施の形態を図１に基づいて説明する。
【０００７】図においては、深さ一尺、胴回りが十センチメートル、下部には穴をあける。容器はこくたに、有田焼、唐津焼、または、中国の焼き物でも可、それに、各々の趣味で絵をかくことができるが、プロも描くことも可能とする。これに上薬白色にする。この方より絵柄が映える。
【図面の簡単な説明】
【０００８】
【図１】全体図  絵は例
【図１】
2005052624.tif 000002
【手続補正書】
【提出日】平成15年8月25日(2003.8.25)
【手続補正１】
【補正対象書類名】特許請求の範囲
【補正対象項目名】全文
【補正方法】追加
【補正の内容】
【特許請求の範囲】
【請求項１】
胴回り１０センチメートル、深さ１尺，下部に穴をあけた骨つぼ
【手続補正２】
【補正対象書類名】明細書
【補正対象項目名】全文
【補正方法】追加
【補正の内容】
【発明の詳細な説明】
【技術分野】
【０００１】本発明は、下部に穴をあけた骨つぼに関する（穴の形状は円型）
【背景技術】
【０００２】従来の骨つぼには、穴があいていないものであるが、穴をあけること自体無意味のようである．
【発明の開示】
【発明が解決しようとする課題】
【０００３】以上に述べた骨つぼでは、水がたまる．
骨が風化しないなど、よくないものである．
【課題を解決するための手段】
【０００４】下部に穴をあければ水がたまらない、風化しないこともないであろう。もともと骨は土にかえるべきものである．また、そのような結果、骨が自然に土にかえれるようにするものである，
【手続補正書】
【提出日】平成16年1月26日(2004.1.26)
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】本発明は、下部に穴をあけた骨つぼに関する。
（穴の形状は問わず）【０００２】従来の骨つぼには、穴があいてないものであるが、穴をあけるということは、無意味であるようである。【０００３】以上に述べた骨つぼでは、水がたまる、風化しないなど、よくないものである。【０００４】下部に穴をあければ、水がたまらない、風化しないこともないであろう。もともと、骨は土にかえるべきものである。また、そのような結果、骨が自然に土にかえれるようにするものである。【０００５】このつぼは、九谷焼、有田焼、その他中国の焼き物等でも可。個々の好みにあわせて自らが絵を描き、または、プロに依頼して描くことも可能である。よって、多様なものが出来上がる。上薬は白色とする。
【図面の簡単な説明】
【０００６】
【図１】          全体図  絵は例
(57)【要約】【課題】  ネックストラップや携帯ストラップに絵柄や文字を入れる方法について、パソコンの画面上でデザインし、特殊インクジェットプリンターでカラー印刷することによって、豊富な色柄の絵柄や文字を少ロットでも簡単に極めて安いコストで生産できるようにすること。【解決手段】  パソコンの画面上でネックストラップや携帯ストラップの絵柄や文字をデザインし、これを特殊インクジェットプリンターで複数本分をカラー印刷した後、１本分づつに裁断してネックストラップや携帯ストラップに加工し、端末に取り付け具を取り付ける。【選択図】  図１
2005052622.tif 000002
【特許請求の範囲】
【請求項１】
パソコン上で複数本のネックストラップの絵柄や文字をデザインし、それを広巾の生地に特殊インクジェットプリンターでカラー印刷した後、１本分づつに裁断し、同巾に裁断した裏地を合わせて両側面を縫合し、両端部を合わせた先端に止め金具を取り付けた、ネックストラップの製造方法。
【請求項２】
パソコン上で複数本の携帯ストラップの絵柄や文字をデザインし、それを広巾の生地に特殊インクジェットプリンターでカラー印刷した後、１本分づつに裁断し、１本分のストラップ地のほぼ真中３分の１部に片面粘着テープを貼り、両側３分の１部に両面粘着テープを貼って片側３分の１部を折り返して接着し、その上に接着剤を塗布して反対の片側３分の１部を折り返して接着し、両端部を合わせた先端にループ状取り付け具を取り付けた、携帯ストラップの製造方法。
【発明の詳細な説明】
【発明の詳細な説明】
【技術分野】
【０００１】  本発明は、パソコンと特殊インクジェットプリンターを用いて、複数本のストラップの絵柄や文字をカラー印刷した後、これを１本づつに裁断して加工する、ネックストラップ及び携帯ストラップの製造方法に関するものである。
【背景技術】
【０００２】  従来、携帯電話や小型カメラ等の携帯用品を首から下げるためのネックストラップや手で持ち歩くための携帯ストラップに絵柄や文字を入れるには、最初から織りの段階で織り込むか、あるいは後からシルクスクリーン印刷で印刷するかの方法が取られていた。
【発明が解決しようとする課題】
【０００３】  従来、ストラップに絵柄や文字を入れる場合、織りで入れるには織りの段階で予めそのパターンを組み込まなければならず、絵柄や文字の色やパターンは限定的なものにならざるを得ない。
また、後から絵柄や文字を入れるには、シルクスクリーン印刷により印刷していた。シルクスクリーン印刷により多色刷するためには、色数分の型を作らなければならないので高価なものになってしまう。
本発明は、どのような絵柄や文字でもパソコンの画面上でデザインし、特殊インクジェットプリンターでカラー印刷することによって、少ロットでも簡単に安価に製作出来る方法を提案するものである。
【課題を解決するための手段】
【０００４】（イ）請求項１は、パソコン上で複数本のネックストラップの絵柄や文字をデザインし、それを広巾の生地に特殊インクジェットプリンターでカラー印刷した後、１本分づつに裁断し、同巾に裁断した裏地を合わせて両側面を縫合してできたネックストラップの両端部を合わせた先端に止め金具を取り付ける。
（ロ）請求項２は、パソコン上で複数本の携帯ストラップの絵柄や文字をデザインし、それを広巾の生地に特殊インクジェットプリンターでカラー印刷した後、１本分づつに裁断し、１本分のストラップのほぼ真中３分の１部裏側に片面粘着テープを貼り、両側３分の１部に両面粘着テープを貼って片側３分の１部を折り返して接着し、その上に接着剤を塗布して反対の片側３分の１部を折り返して接着してできた携帯ストラップの両端部を合わせた先端にループ状取り付け具を取り付ける。
【発明を実施するための最良の形態】
【０００５】  以下、本発明の実施の形態を説明する。
（イ）請求項１は、パソコン上で複数本のネックストラップの絵柄や文字をデザインし、それを広巾の生地に特殊インクジェットプリンターでカラー印刷した後、１本分づつに裁断する。１本の巾の種類は、１０ｍｍから２４ｍｍ位であり、裁断巾もその種類の巾とする。例えば、ストラップの巾が１０ｍｍならば、裁断巾も１０ｍｍである。
カラー印刷したネックストラップ地を表地とし、これと同巾の裏地を裁断して表地と裏地とを合わせて両側面をロックミシンで縫合する。できたネックストラップの両端を合わせて折り返した部分に取り付け金具を取り付けて縫合する。
（ロ）請求項２は、パソコン上で複数本の携帯ストラップの絵柄や文字をデザインし、それを広巾の生地に特殊インクジェットプリンターでカラー印刷した後、１本分づつに裁断する。
１本の巾の種類は６ｍｍから１０ｍｍ位であり、両側面の折り返し部を取る必要があるので、１本分の生地中はその種類の巾の約２．５位倍となる。例えば、７ｍｍ巾の携帯ストラップの場合、１本分の生地巾は６×７×４＝１７ｍｍとなり、絵柄や文字はほぼその真中の３分の１部に印刷され、両側３分の１部は地色だけが印刷される。
１本分に裁断されたストラップ地の裏側のほぼ真中３分の１部に片面粘着テープを貼り、両側３分の１部に両面粘着テープを貼って片側３分の１部を折り返して接着し、その上に接着剤を塗布して反対の片側３分の１部を折り返して接着してできた携帯ストラップの両端部を合わせて、ループ状取り付け具の挿入部に差込み固定する。【０００６】  広巾生地の巾は１ｍであり、ネックストラップの場合、例えば１本１０ｍｍ巾であれば生地巾も１０ｍｍなので１列で約７０本の同時プリントが可能である。
また、携帯ストラップの場合、１本７ｍｍ巾であれば１本分の生地巾は約２．５倍の約１７ｍｍとなるので、１列で約５０本の同時プリントが可能である。【０００７】  ネックストラップにおいても携帯ストラップにおいても、絵柄や文字はパソコンの画面上でデザインするので、同列内においても異なるデザインが自在にできる。従って多品種少量生産が同時にできる。多品種少量生産になるほどその強みが発揮され、シルクスクリーン印刷に比べると極めてコストが安くなり、しかも色柄の豊富な印刷ができる。
【発明の効果】
【０００８】  本発明を用いることにより、どのような絵柄や文字でも簡単にカラー印刷でき、また同時に多品種少量生産ができるので、色柄の豊富なストラップが極めて安いコストで生産できる。
【図面の簡単な説明】
【図１】  請求項１の製造方法のチャート図
【図２】  請求項２の製造方法のチャート図
【図３】  ネックストラップの完成図
【図４】  携帯ストラップの完成図
【図５】  ネックストラップの部分分解図
【図６】  携帯ストラップの部分分解図
【符号の説明】
１  ネックストラップ
２  表地
３  裏地
４  側面縫合部
５  端部縫合部
６  取り付け金具
１１  携帯ストラップ
１２  折り込み部Ａ
１３  折り込み部Ｂ
１４  片面粘着テープ
１５  両面粘着テープ
１６  ループ状取り付け具
【図１】
2005052622.tif 000003
【図２】
2005052622.tif 000004
【図３】
2005052622.tif 000005
【図４】
2005052622.tif 000006
【図５】
2005052622.tif 000007
【図６】
2005052622.tif 000008
(57)【要約】      （修正有）【課題】テーブル本体に、ターンテーブルが単に回転するだけでなく、高さを必要に応じて簡単に調節することができるように取付ける。【解決手段】テーブル本体２１取付けられた内周面にねじ溝を持った支持パイプ２に、回転かつ上下動可能に支持棒３を螺入し、その支持棒３の上端にターンテーブル１を取付けている。【選択図】図１
2005052623.tif 000002
【特許請求の範囲】
【請求項１】
家具本体に取付けられた支持パイプと、支持パイプに回転かつ上下動可能に螺入した支持棒と、支持棒の上端に取付けられたターンテーブルとを備えたターンテーブル装置
【請求項２】
天板の周側の一部を開放したターンテーブルが嵌合可能な円形孔を設け、請求項１記載のターンテーブル装置を備えたテーブル装置
【発明の詳細な説明】
【技術分野】
【０００１】  本発明は、ターンテーブル装置及びターンテーブルを備えたテーブルに関するものである。
【背景技術】
【０００２】  従来からテーブル等の家具本体にターンテーブル装置を備えたものは多数あるが、これらはターンテーブルを回転させるだけであって（特許文献１参照）、ターンテーブルの高さを変えることはできなかった。【０００３】
【特許文献１】特開２０００−１３９５７４号公報
【特許の開示】
【発明が解決しようとする課題】
【０００４】  本発明は、このようなターンテーブルの高さを必要に応じて簡単に調節することができるターンテーブル装置及びターンテーブルを備えたテーブルに関するものである。
【０００５】  本発明は、このような問題点の解決を図るべく、ターンテーブルを回転させるだけでなく上下動もできるようにしたターンテーブル装置及びターンテーブル装置を備えたテーブル装置を提供するものである。
【課題を解決するための手段】
【０００６】  このような問題点を解決するため、本発明は、家具本体に取付けられた支持パイプと、支持パイプに回転かつ上下動可能に螺入した支持棒と、支持棒の上端に取付けられたターンテーブルとを備えたターンテーブル装置である。
【０００７】  また、天板の周側の一部を開放したターンテーブルが嵌合可能な円形孔を設け、請求項１記載のターンテーブル装置を備えたテーブル装置である。
【発明の効果】
【０００８】  このような構成であるため、ターンテーブルを回転させるとターンテーブルの支持棒がねじ溝に沿って回転するため、ターンテーブルが上下動する。
【０００９】  従って、容易かつ瞬時に載置する物によってターンテーブルを適当な高さに調節することができる。
【００１０】  ターンテーブル装置を備えたテーブル装置の場合には、ターンテーブルがテーブルの天板から少し飛び出るようになるため、その部分を手で回せば簡単にターンテーブルを上下動をすることができる。
【発明を実施するための最良の形態】
【実施例１】
【００１１】  実施例１について図面を参照して説明すると、図１は、本発明のターンテーブル装置であって、家具本体に取付けられた内周面にねじ溝を持った支持パイプ２に支持棒３が螺入されている。支持棒３の上端にはターンテーブル１が取付けられている。
【実施例２】
【００１２】  実施例２について図面を参照して説明すると、図２は、本発明のターンテーブル装置を備えたテーブル装置であって、テーブルの周側にターンテーブル装置が設けられている。【００１３】  すなわち、テーブル装置２１の天板２２の任意の周側にターンテーブル１が嵌合可能な大きさの円形孔２３を形成する。円形孔２３の一部は天板２２の外方に突出し、天板２２の一部は開放されている。テーブル装置２１の脚体２４に支持バー２５を架設し、支持バー２５に内周面にねじ溝を持った支持パイプ２を取付ける。支持パイプ２には、上端にターンテーブル１を取付けている支持棒３が螺入されている。
【図面の簡単な説明】
【００１４】
【図１】本発明のターンテーブル装置の正面図である。
【図２】本発明のテーブル装置の斜視図である。
【符号の説明】
【００１５】  １    ターンテーブル
２    支持パイプ
３    支持棒
２１  テーブル装置
２２  天板
２３  円形孔
２４  脚体
２５  支持バー
【図１】
2005052623.tif 000003
【図２】
2005052623.tif 000004
(57)【要約】【課題】洋式トイレで便をした時、溜まっている水が撥ね、お尻に付着する不快感を解消する為に、水溜りに敷く撥ね返ってこないティッシュを提供する。【解決手段】水溶ティッシュを、ティッシュ１・ティッシュ２・ティッシュ３の三通りに切込みを入れ、それを重ね合わせたものを洋式トイレの水溜りに敷く事によって、水の撥ね返りを防ぎ、しかも排便が下に沈んで、長時間でも水が撥ねないようにする。【選択図】図１
2005052621.tif 000002
【特許請求の範囲】
【請求項１】
水溶ティッシュを３通りの形状にし、それを重ね合わせて洋式トイレの水溜りに敷くことにより、水撥ねによるお尻の不快感を解消する。
【発明の詳細な説明】
【発明の詳細な説明】
【発明に属する技術分野】
【０００１】本発明は、洋式トイレで便をした際に水が撥ね、お尻につく不快感を解消する為に、水が撥ねないように工夫した物を水溜りに敷き、又、水に流せて気持ちよく用を足すことが出来るようにしたものである。
【背景技術】
【０００２】従来は、洋式トイレの水撥ねを解消する製品は無かった。
【発明が解決しようとする課題】
【０００３】洋式トイレで便をすると、必ずと言っていいほど水が撥ねてきます。少量の水とはいえ、お尻に付くと嫌な気持ちになります。本発明は、この課題を解決する為になされたものである。
【課題を解決する為の手段】
【０００４】水溶ティッシュを、ティッシュ１・ティッシュ２・ティッシュ３という三通りの形状にし、ティッシュ１・２・３の順番に重ね合わせ、水糊４で糊付けしたものを水溜りの部分に敷く事により、水撥ねを防げるようにした。又、水溶ティッシュを使う事により携帯が出来、どこの洋式トイレでも使用出来る。
【発明を実施するための最良の形態】
【０００５】以下、本発明の実施の形態について説明する。
（イ）ティッシュ１・ティッシュ２・ティッシュ３の様に切込みを入れる。
（ロ）ティッシュ１・ティッシュ２・ティッシュ３の順番に重ね合わせて、バラバラにならないように８ヶ所を糊付けする。
【発明の効果】
【０００６】洋式トイレの水溜まりにティッシュを敷く事で、水が撥ねない。しかも切込みを入れることにより排便が下に沈むので、少々長い時間でも水が撥ねない。そして水に溶けるので安心して流せる。又、携帯出来るので、洋式トイレならどこでも安心して使用出来る。
【図面の簡単な説明】
【図１】  本発明の正面図である。
【図２】  本発明の立体図である。
【符号の説明】
１．ティッシュ
２．ティッシュ
３．ティッシュ
４．糊付け箇所
５．切り込み
【図１】
2005052621.tif 000003
【図２】
2005052621.tif 000004
(57)【要約】【課題】  安価に、しかも高速で使い捨てオムツを処理できるオムツ処理装置を提供する。【解決手段】  老人ホーム，病院等から排出される使い捨てオムツを、凍結させることのできる液化チッソ８を入れた凍結処理室７と、その下流側の、凍結されたオムツを破砕する破砕室９を備えている。【選択図】  図１
2005052265.tif 000002
【特許請求の範囲】
【請求項１】
老人ホーム，病院等から排出される使い捨てオムツを、凍結させることのできる凍結処理室と、凍結されたオムツを破砕する破砕室を備えていることを特徴とするオムツ処理装置。
【請求項２】
前記凍結処理室の上流側には、オムツを湿らせるための散水部が設けられていることを特徴とする請求項１に記載のオムツ処理装置。
【請求項３】
老人ホーム，病院等から排出される使い捨てオムツを凍結させた後、破砕することを特徴とするオムツ処理方法。
【請求項４】
前記凍結が、液化チッソを用いて行われることを特徴とする請求項３に記載のオムツ処理方法。
【発明の詳細な説明】
【技術分野】
【０００１】
本発明は、使い捨てオムツを処理する装置および処理方法に関するものである。
【背景技術】
【０００２】
老人ホーム，病院等から大量に排出される使い捨てオムツは、従来、洗浄した後に、裁断して、これを焼却処理していた。
【特許文献１】特開平０８ー１８９６２１号公報
【発明の開示】
【発明が解決しようとする課題】
【０００３】
従来のような使い捨てオムツの処理方法では、処理工程が多く、処理に莫大な費用がかかっていた。
【課題を解決するための手段】
【０００４】
本発明は上記従来の問題点に鑑み案出したものであって、使い捨てオムツを安価に良好に処理できる処理装置および処理方法を提供せんとするものであり、請求項１のオムツ処理装置は、老人ホーム，病院等から排出される使い捨てオムツを、凍結させることのできる凍結処理室と、凍結されたオムツを破砕する破砕室を備えていることである。
また、請求項２では、前記凍結処理室の上流側には、オムツを湿らせるための散水部が設けられていることである。
【０００５】
また、請求項３のオムツ処理方法では、老人ホーム，病院等から排出される使い捨てオムツを凍結させた後、破砕することである。
また、請求項４では、前記凍結が、液化チッソを用いて行われることである。
【発明の効果】
【０００６】
本発明のオムツ処理装置は、使い捨てオムツを、凍結させることのできる凍結処理室と、凍結されたオムツを破砕する破砕室を備えていることにより、使い捨てオムツを凍結処理室内で凍結させて、これを破砕室内で粉々に破砕して粉体状にすることができ、処理工程を少なくできて、小型の装置で低コストで使い捨てオムツを処理できるものとなる。
【０００７】
また、凍結処理室の上流側には、オムツを湿らせるための散水部が設けられていることにより、オムツを湿らせることで、その後の凍結処理処理室内で、確実にオムツを凍結させることができるものとなる。
【０００８】
また、オムツ処理方法は、使い捨てオムツを凍結させた後、破砕することとしたため、紙製または布製の使い捨てオムツを、良好に粉体状態まで破砕することができ、高速で処理することができるものとなる。
【０００９】
また、凍結が、液化チッソを用いて行われることにより、無害で引火性のない安全な液化チッソにより、良好にオムツを凍結処理することができるものとなる。
【実施例】
【００１０】
以下、本発明の実施例を図面に基づいて説明する。
図１は、オムツ処理装置の概略構成図である。
老人ホーム，病院等から大量に排出される紙製，布製等の使い捨てオムツは、オムツ処理装置１の攪拌室２内に、投入口２ａから投入されるものであり、攪拌室２内には機械式等の攪拌装置が設けられており、この攪拌室２内には外部からオゾンを吹き込んで、汚物が付着した使い捨てオムツをオゾンにより殺菌，消臭して攪拌できるものであり、更に、攪拌室２の上面には紫外線ランプ４（商品名ブラックライト）を設けておき、この紫外線ランプ４から照射される紫外線により、攪拌室２内の使い捨てオムツを同時に殺菌するようにしている。
なお、攪拌室２の底側から下流側に向かってコンベア３が設けられており、このコンベア３上に載せられて、順次、下流側に使い捨てオムツが移動されるように構成されている。
【００１１】
攪拌室２の下流側には、オゾン水を溜めるオゾン水タンク５が設けられており、このオゾン水タンク５内のオゾン水をポンプ等で汲み上げて、コンベア３上の使い捨てオムツに対し、オゾン水を噴霧して、使い捨てオムツをオゾン水で湿らせることのできるように、多数のノズルを備えた散水部６が設けられている。
【００１２】
この散水部６の下流側には、凍結処理室７が設けられており、凍結処理室７の上面にも紫外線ランプ４を設けておくことができる。
この凍結処理室７内には、液化チッソ８が入れられており、外部の液化チッソ製造装置から凍結処理室７内に液化チッソ８が順次所定量入れられるように構成されている。
また、凍結処理室７の天井には、排気筒７ａが設けられている。
【００１３】
この液化チッソ８は−１９５．８１℃程度の沸点であり、この液化チッソ８内を使い捨てオムツが通過することで、使い捨てオムツは液化チッソ８により完全に凍結されることとなる。
即ち、予め散水部６を通して、使い捨てオムツは水で湿らせてあるため、液化チッソ８内を通過する時に、使い捨てオムツの素材である紙や布中の水分が確実に氷結して、完全な凍結状態が得られるものである。
【００１４】
凍結処理室７の下流側には破砕室９が設けられており、この破砕室９内に凍結した状態の使い捨てオムツが投入されて、破砕室９内に設けられているローラーやハンマー機により、確実に凍結された使い捨てオムツが破砕されることとなり、ローラー等を用いて破砕した場合には、使い捨てオムツは粉末状態まで破砕することができるものとなる。
【００１５】
本例では、凍結処理室７で凍結させて、その後に、破砕室９内で破砕するものであるため、使い捨てオムツを高速で粉体状態まで破砕処理することができ、小型の装置１であっても、連続状に高速で処理することができ、しかも、オゾンや紫外線ランプ４により、ある程度は殺菌処理されているため、処理することで得られた粉体は滅菌されており、その後に、破砕室９から、粉体状にした使い捨てオムツを、別の生物処理装置内に入れて、微生物により分解処理することができるものとなる。
なお、凍結処理室７には、液化チッソに代えて、フッ素等を入れて凍結処理することもできるが、液化チッソ８が最も安価に入手でき、しかも無害で引火性がないため有効である。
【図面の簡単な説明】
【００１６】
【図１】オムツ処理装置の概略構成図である。
【符号の説明】
【００１７】
１  オムツ処理装置
２  攪拌室
２ａ  投入口
３  コンベア
４  紫外線ランプ
５  オゾン水タンク
６  散水部
７  凍結処理室
７ａ  排気筒
８  液化チッソ
９  破砕室
【図１】
2005052265.tif 000003
(57)【要約】      （修正有）【課題】薬袋自体から投薬の調合情報を得て、その情報に基づいて投薬の調合を行なえるようにし、上述した投薬調合情報を記載したシートと薬袋との組み合わせミスを確実に防止する。【解決手段】透視可能な前面シート２を有し、その前面シート２に、投薬を受ける患者の氏名や投薬名、投与日時などの投薬作業情報５を記載する投薬作業情報記載部４が設けられ、後面シート３に、投薬の調合方法などの投薬調合情報を記載する投薬調合情報記載部を設けた。【選択図】    図１
2005052251.tif 000002
【特許請求の範囲】
【請求項１】
透視可能な前面シートを有した一辺開口型の薬袋であって、前記前面シートに、投薬を受ける患者の氏名や投薬名や投与日時などの投薬作業情報を記載する投薬作業情報記載部が設けられ、後面シートに、投薬の調合方法などの投薬調合情報を記載する投薬調合情報記載部が設けられていることを特徴とする薬袋。
【発明の詳細な説明】
【技術分野】
【０００１】
本発明は薬袋、特に病院などにおいて患者個々に応じて調合される薬を収容するための薬袋に関するものである。
【背景技術】
【０００２】
従来から病院などにおいて患者に投与する薬は患者個々の病状や身体状況に応じて選択されて調合されている。そして、事前に多種の粉薬や錠剤から調合した投薬を多数の患者それぞれに適正に対応付けするために、患者名や投薬日時などの投薬作業情報を記載した薬袋にその調合した薬を入れており、薬が入れられた薬袋を医師や看護人が取り扱って患者に投与していた。
【発明の開示】
【発明が解決しようとする課題】
【０００３】
上述した錠剤や粉薬を患者個々に応じて調合する際、調合機器などを用いた機械化が進んで人為的ミスの防止が図られ、また、錠剤や分包された粉薬もそれぞれの形状や包み紙からその種別が判断できるようになっているため、薬袋の少なくとも一部を透視可能とすることで、薬袋に入れた薬が適正なものであるかどうかも薬袋の外方から目視確認が行なえるものとなっている。
しかしながら、注射液などのように調合に際して複数種の薬液を混合して調合する場合、医師の指示に基づいた薬液、容量などの投薬調合情報を、上記薬袋とは別の専用シートに出力し、そのシートを上記薬袋に組み合わせ、前記シートに記載されている情報に基づいて調合した投薬液の入った薬瓶を薬袋に入れるようにすることで、注射液などとして調合した薬液を患者個々に対応づけるようにしているのが現状であり、調合情報が記載されたシートの脱落や前記薬袋との組み合わせミスを防止したいとの要望がなされている。
【０００４】
そこで本発明は上記事情に鑑み、薬袋自体から投薬の調合情報を得て、その情報に基づいて投薬の調合を行なえるようにすることを課題とし、上述した投薬調合情報を記載したシートと薬袋との組み合わせミスを確実に防止することを目的とする。
【課題を解決するための手段】
【０００５】
本発明は上記課題を考慮してなされたもので、透視可能な前面シートを有した一辺開口型の薬袋であって、前記前面シートに、投薬を受ける患者の氏名や投薬名や投与日時などの投薬作業情報を記載する投薬作業情報記載部が設けられ、後面シートに、投薬の調合方法などの投薬調合情報を記載する投薬調合情報記載部が設けられていることを特徴とする薬袋を提供して、上記課題を解消するものである。
【発明の効果】
【０００６】
本発明によれば、薬袋に投薬調合情報記載部が設けられていて、投薬調合情報を記入することによって、薬袋と薬剤調合情報とを一体のものとすることが容易となり、組み合わせミスを確実に防ぐことができるなど、実用性に優れた効果を奏するものである。
【発明を実施するための最良の形態】
【０００７】
つぎに本発明を図１と図２に示す実施の形態に基づいて詳細に説明する。
図中１は薬袋で、該薬袋１は封筒形態とし、前面シート２と後面シート３との相対する三辺を封着して上辺を出し入れ口として開口している一辺開口型のものである。
薬袋１における前記前面シート２は例えば透明な合成樹脂フィルムなどを用いた透視可能なシート材からなるものであり、外表面にプリンタによる可変情報の印字、印刷が行なえるようにプリント適性を備えているものである。そしてこの前面シート２には図１に示すように投薬作業情報記載部４が設けられていて、この投薬作業情報記載部４に、投薬を受ける患者の氏名、性別、年齢などの個人情報を含めて、その患者に与える投薬名、投与日時などの投薬作業情報５を記載できるようにしている。これらの投薬作業情報５は、予めコンピュータなどの記憶装置に記録されている患者に対応してプリンタにて出力されるものである。
このように薬袋１の前面シート２が透視可能であり、その外表面に投薬作業情報記載部４を有しているため、上記投薬作業情報５を記載することで、その情報に基づいた薬袋１の患者への対応付けが行なえるとともに、投薬名が示されていることから収容して前面シート２から透けてみえる錠剤や粉薬の分包体とその投薬名とのマッチングを目視確認できるものとなっている。
【０００８】
また、上記後面シート３は例えば紙材などを用いた不透明なシート材から形成されていて、上記前面シート２と同じように外表面にプリンタによる可変情報の印字、印刷が行なえるようにプリント適性を備えているものである。そして、この後面シート３の外表面には投薬調合情報記載部６が設けられていて、この投薬調合情報記載部６に、投薬指示を行なった指示者名、医師などの指示により選択された薬剤名、その薬剤の数量などの情報、さらには注射液などを得るために混ぜ合わせる各種の薬液名、その薬液個々の容量などの情報、および調合方法、用法（何時投与するかや投与間隔など）を含めた投薬調合情報７が、コンピュータ上で患者名などに関連付けされた情報としてプリンタなどにより出力されるものである。
このように薬袋１では上記後面シート３の投薬調合情報記載部６を有しており、ここに到着調合情報７が記載されれば、その情報に基づきながら調合担当者が調合を行なうことになる。そして、薬袋自体にこの投薬調合情報７が記載されているため、調合された投薬を他の薬袋に入れられてしまうというミスを確実に防止して、患者に対して適正な投薬を行なえるものとなる。
【図面の簡単な説明】
【０００９】
【図１】本発明に係る薬袋の一例における前面シート側を示す説明図である。
【図２】同じく薬袋の一例における後面シート側を示す説明図である。
【符号の説明】
【００１０】
１…薬袋
２…前面シート
３…後面シート
４…投薬作業情報記載部
５…投薬作業情報
６…投薬調合情報記載部
７…投薬調合情報
【図１】
2005052251.tif 000003
【図２】
2005052251.tif 000004
(57)【要約】【課題】プレイヤーが提示したカードにあわせてゲームが進行する、カードゲームとテレビゲームが融合したシステムがある。このようなシステムでユーザが提示したカードの種類を特定するため、バーコードリーダによりカードの種類を読み取らせることがある。このとき、カードがカードフォルダに設置されている場合にはすぐにバーコードを読み取り、カードを認識できる。だが、カードがカードフォルダにおかれていないときカードがないことを検出することができない。【解決手段】バーコードリーダからカードフォルダに印字されたバーコードの値が返ってきたら、カードが置かれていないと判定することで、カードフォルダにカードが置かれていない状態を確実に認識することができる。【選択図】        図１
2005052226.tif 000002
【特許請求の範囲】
【請求項１】
バーコードを印刷したカードを読み取ることで、所定の場所に置かれたカードを読み取るカード読取装置において、
カードを置く所定の位置にバーコードを印字しておき、そのバーコードを読み取ることでカードが置かれていないことを判別するカード読取装置。
【発明の詳細な説明】
【０００１】
【発明の属する技術分野】
本発明は、カードにバーコードを印字し、そのカードを識別して処理を行うような装置に関するものである。
【０００２】
より具体的な応用例としては、（例えば特許文献１に示されているような）カードゲームとＴＶゲームを組み合わせたものがあげられる。
【０００３】
【従来の技術】
このように、プレイヤーが提示したカードにあわせてゲームが進行する、カードゲームとＴＶゲームが融合したシステムがある。
【０００４】
このようなシステムでは、ゲームの場にユーザが提示したカードの種類を特定するため、提示されたカードを認識する機構が必要となる。ＭＲ提案番号０１４０２、０１４０５ではカードを認識する機構として、カードにバーコードを印刷しておき、カードフォルダに設置したバーコードリーダで、そのバーコードを読み取る装置が提案されている。
【０００５】
【特許文献１】
特開２００３−１０３０４５号公報
【０００６】
【発明が解決しようとする課題】
バーコードリーダによりカードを読み取らせる場合、カードがカードフォルダに設置されている場合にはすぐにバーコードを読み取り、カードを認識できる。
【０００７】
だがこのような構成をとると、カードがカードフォルダにおかれていないときカードがないことを検出することができない。
【０００８】
カードがないことの検出方法として、バーコードリーダが一定時間内に読み取れないときにカードがないとする方法も考えられる。だがそのような方法をとった場合には、カードの汚れなどによりバーコードが読み取れない状態との区別ができなかった。
【０００９】
【課題を解決するための手段】
本発明では、カードフォルダにバーコードを印字しておくことで、この問題を解決する。
【００１０】
カードがカードフォルダに置かれていない場合には、カードフォルダに設置したバーコードは、カードフォルダに印字されたバーコードを読み取る。
【００１１】
バーコードリーダからカードフォルダに印字されたバーコードの値が返ってきたら、カードが置かれていないと判定することで、カードフォルダにカードが置かれていない状態を確実に認識することができる。
【００１２】
またバーコードリーダが一定時間内に読み取れないときにカードがないとする方法より、より短い時間でカードがおかれていないことを認識でき、またカードの汚れや置き方の誤りを検知してユーザに異常を知らせることができる。
【００１３】
【発明の実施の形態】
本実施例の全体図を図１に示す。本実施例は特許文献１のような、カードゲームとＴＶゲームを組み合わせたゲームのためのカードリーダである。
【００１４】
図２に示すように、個々のカード１００にはバーコード１０１が印字されている。このバーコード１０１により、計算機９００にカード１００の種類を識別させる。
【００１５】
本実施例のカードリーダは、バーコードリーダ２００、カードフォルダ３００、ミラー４００からなる。バーコードリーダ２００から発したバーコードを読み取るためのレーザー光は、ミラー４００に反射され、カードフォルダ３００上を読み続ける。
【００１６】
カードフォルダ３００にカード１００が置かれている場合には図３のように、バーコードリーダ２００からのレーザーは、ミラー４００に反射されて、カード１００上のバーコード１０１を読み取る。
【００１７】
カードフォルダ３００にカード１００が置かれていない場合には図４のように、バーコードリーダ２００からのレーザーは、ミラー４００に反射されて、カードフォルダ３００上のバーコード３０１を読み取る。
【００１８】
計算機９００は、バーコードリーダ２００がからバーコード３０１を示すＩＤ（識別コード）を受け取ったときは、カードフォルダ３００にカードが置かれていないと判定する。また計算機９００は、バーコード３０１以外のＩＤを受け取ったときには、カードフォルダ３００にそのＩＤに対応したカード１００が置かれたと判定する。
【００１９】
【発明の効果】
以上の説明から明らかなように本発明によれば、カードリーダにカードが存在するか、容易に判定することができる。
【図面の簡単な説明】
【図１】本実施例のハードウェアの全体図である。
【図２】バーコードを印字したカードである。
【図３】カードフォルダにカードが置かれたときにカード上のバーコードが読まれることを示した図である。
【図４】カードフォルダにカードが置かれていないときにカードフォルダ上のバーコードが読まれることを示した図である。
【図１】
2005052226.tif 000003
【図２】
2005052226.tif 000004
【図３】
2005052226.tif 000005
【図４】
2005052226.tif 000006
(57)【要約】【課題】従来の鍼灸用針において、人体に刺入される鍼体２に母指と次指が直接触れるため不衛生であり、鍼体２をあらかじめ滅菌した場合でも、無菌状態を維持したまま鍼灸針を体内に刺入することが出来なかった。【解決手段】針を薄膜１で覆う。薄膜は例えば、柔軟な素材で伸縮性に富み円筒形や蛇腹で刺入時に皮膚上で抵抗なく収縮する。【選択図】    図１
2005052457.tif 000002
【特許請求の範囲】
【請求項１】
針が薄膜で覆われた事を特徴とし、無菌操作を可能とする鍼灸用の針。
【請求項２】
体内に刺入する針を薄膜で覆い、刺入時に薄膜が皮膚上で収縮することを特徴とする請求項１記載の鍼灸用の針。
【発明の詳細な説明】
【技術分野】
【０００１】
この発明は、鍼灸治療に用いる針の形状に関する。
【背景技術】
【０００２】
図４に示す従来の針、および図５に示す鍼管４を使用する従来技術は、母指と次指との間にあらかじめ針を挿入した鍼管４を保持し、他方の手の次指で鍼管４の上部より突出した鍼柄３を押すことで、鍼体２の先端が皮膚内に刺入され、その後に鍼管４を上方に除去し、鍼管４を保持していた母指と次指が替って鍼体２を保持することで、鍼体２を安定的に皮膚あるいは筋肉内に刺入する方法である。
【発明の開示】
【発明が解決しようとする課題】
【０００３】
しかしながら、以上の従来技術によれば、人体に刺入される鍼体２に母指と次指が直接触れるため不衛生であり、鍼体２をあらかじめ滅菌した場合でも、無菌状態を維持したまま針を体内に刺入することが出来ない。
そこで、この発明は、体内に刺入される鍼体２が指に接触しない鍼灸用針を提供する事を課題とする。
【課題を解決するための手段】
【０００４】
以上の課題を解決するために、第一発明は、針が薄膜で覆われた事を特徴とし、無菌操作を可能とする鍼灸用の針である。また第二発明は、体内に刺入する針を薄膜で覆い、刺入時に薄膜が皮膚上で収縮することを特徴とする無菌鍼灸針である。
【発明の効果】
【０００５】
第一発明、または第二発明によれば、鍼灸用針を薄膜で覆うことにより手指が鍼体に触れず、無菌状態を保ったまま体内に刺入できる。
また、鍼体２を一旦体内から抜き、もう一度刺入を行う際、鍼柄３に固定された薄膜が、刺入前の状態に近い長さまで伸展するため、無菌状態を保ったまま再度の刺入ができる。
【発明を実施するための最良の形態】
【０００６】
この発明の一実施形態を、図２に示す。
鍼体２は円筒形の薄膜１の内部に挿入され、鍼柄３に固定されている。図２に示すように、薄膜１の長さは、鍼管４の上部より突出した鍼柄３の長さ５の分だけ、鍼体２よりも長さ６の分だけ短い。
【実施例１】
【０００７】
この実施例によれば、 図２に示すように、母指と次指との間にあらかじめ鍼を挿入した鍼管４を保持し、他方の手の次指で鍼管４の上部より突出した鍼柄３を押すことで、鍼体２の先端が皮膚内に刺入され、その後に鍼管４を上方に除去し、鍼管４を保持していた母指と次指が替って鍼体２を保持する際、直接鍼体２に指が接触せず、薄膜１上から鍼体２を保持することで、鍼体２を安定的に皮膚あるいは筋肉内に刺入する。図３に示すように、刺入に伴って、柔軟な薄膜１は抵抗無く、皮膚面７の上で収縮し皮膚あるいは体内を損傷せず、刺入操作を妨げない。
【実施例２】
【０００８】
図１の実施例では、薄膜１は円柱形であったが円錐形あるいは蛇腹状であってもよい。また、図１の実施例では、薄膜１は鍼柄３を覆うように固定されていたが、図６で示すように薄膜１は鍼柄３の下部に固定されてもよい。加えて、図２の実施例では、鍼管４を使用したが、これを使用せず薄膜１上から鍼体２を母指と次指にて保持し、直接皮膚あるいは筋肉内に刺入してもよい。
【図面の簡単な説明】
【０００９】
【図１】この発明の一実施形態を示す斜視図である。
【図２】図１に示す発明を鍼管４に挿入した斜視図である。
【図３】図１に示す発明を皮膚表面７に挿入した斜視図である。
【図４】従来技術を示す針の斜視図である。
【図５】図４の針を鍼管４に挿入した従来技術を示す斜視図である。
【図６】この発明の他の実施形態を示す斜視図である。
【符号の説明】
【００１０】
１  薄膜
２  鍼体
３  鍼柄
４  鍼管
５  鍼管から鍼柄が突出する長さ
６  薄膜から鍼体が突出する長さ
７  皮膚表面
【図１】
2005052457.tif 000003
【図２】
2005052457.tif 000004
【図３】
2005052457.tif 000005
【図４】
2005052457.tif 000006
【図５】
2005052457.tif 000007
【図６】
2005052457.tif 000008
(57)【要約】【課題】  排水口栓用連結鎖４の、浴槽側壁２側の支持具５が入浴者の背中に当たらないようにする。【解決手段】  合成樹脂製等のカバー１２は、支持具５が嵌まり込む凹所１３を有し、且つ、排水口栓用連結鎖４の上部が嵌まる溝１４を有している。前記凹所１３は浴槽側壁２側に開口を有している。また、前記溝１４は、上下及び浴槽側壁２側に開口している。前記カバー１２の浴槽側壁２側に所要個の周知の吸着盤１５が取り付けられている。前記吸着盤１５は、浴槽側壁２に吸着・取り付けされる前の状態では、浴槽側壁２側に向かって開放したくぼみを有している。吸着盤１５はくぼみを無くすように浴槽側壁２に押し付けることにより、浴槽側壁２に取り付けられるものである。【選択図】  図１
2005052451.tif 000002
【特許請求の範囲】
【請求項１】
排水口栓用連結鎖の上部が連結された、浴槽側壁側の支持具が嵌まり込む凹所を有し、且つ、排水口栓用連結鎖の上部が嵌まる溝を有するカバー。
【請求項２】
前記カバーの、浴槽側壁に対向する面に、浴槽側壁に着脱自在となされた取付具が設けられている請求項１記載のカバー。
【発明の詳細な説明】
【技術分野】
【０００１】
本発明は、排水口栓用連結鎖の、浴槽側壁側の支持具のカバーに関する。
【背景技術】
【０００２】
従来の浴槽において、排水口栓用連結鎖の、浴槽側壁側の支持具（なお、この明細書において、「浴槽側壁側の支持具」とは、浴槽側壁に取り付けられた吊持具と、吊持具に連結された第１連結具と、第１連結具に連結された、排水口栓用連結鎖の上部が連結された第２連結具とを合わせたものをいう。）は、浴槽内に露出していた。
【特許文献１】なし
【発明の開示】
【発明が解決しようとする課題】
【０００３】
従来の浴槽には以下の欠点があった。
浴槽側壁側の支持具が浴槽内に露出していため、入浴者が浴槽側壁側の支持具に背中を向けて浴槽内に入った際、浴槽側壁側の支持具が背中にあたり痛いという欠点があった。
【課題を解決するための手段】
【０００４】
本発明は前記欠点を解消するために以下の如き手段を採用した。
（１）請求項１の発明は、排水口栓用連結鎖の上部が連結された、浴槽側壁側の支持具が嵌まり込む凹所を有し、且つ、排水口栓用連結鎖の上部が嵌まる溝を有するものである。
（２）請求項２の発明は、前記カバーの、浴槽側壁に対向する面に、浴槽側壁に着脱自在となされた取付具が設けられている請求項１記載のものである。
【発明の効果】
【０００５】
本発明は前記した如き構成によって以下の如き効果を奏する。
（１）請求項１の発明によれば、浴槽側壁側の支持具を覆うことが出来るので、浴槽側壁側の支持具が入浴者の背中に当たることがなく、快適に入浴することが出来る。
（２）請求項２の発明によれば、取付具を利用してカバーを簡単に浴槽側壁に取り付けることが出来る。
【発明を実施するための最良の形態】
【０００６】
以下に本発明の実施の形態を説明する。
浴槽１の側壁２の上部に、排水口栓用連結鎖４の、浴槽側壁２側の支持具５（以下、単に支持具５という。）が取り付けられている。前記支持具５は、浴槽側壁２に取り付けられた吊持具７と、吊持具７に連結された第１連結具８と、第１連結具８に連結された、排水口栓用連結鎖４の上部が連結された第２連結具９とにより構成されている。
【０００７】
合成樹脂製等のカバー１２は、支持具５が嵌まり込む凹所１３を有し、且つ、排水口栓用連結鎖４の上部が嵌まる溝１４を有している。前記凹所１３は浴槽側壁２側に開口を有している。また、前記溝１４は上下及び浴槽側壁２側に開口している。
【０００８】
前記カバー１２の浴槽側壁２に対向する面に、所要個の、周知の吸着盤１５が取り付けられている。前記周知の吸着盤１５は、浴槽側壁２に吸着・取り付けされる前の状態では、浴槽側壁２側に向かって開放したくぼみを有している。前記吸着盤１５はくぼみを無くすように浴槽側壁２に押し付けることにより、浴槽側壁２に取り付けられるものである。
【０００９】
以下に変形例等について説明を加える。
（１）吸着盤１５に代えて、カバー１２を接着剤・ねじ等により浴槽側壁２に取り付けるようにしてもよい。なお、請求項２でいう、「浴槽側壁２に着脱自在となされた取付具」は吸着盤１５に限定されない。
（２）カバー１２の形状は任意である。
（３）吸着盤１５の数は任意である。
【図面の簡単な説明】
【００１０】
【図１】本発明の実施の形態を示す断面図である。
【図２】図１のＩＩ−ＩＩ線矢視図である。
【符号の説明】
【００１１】
１  浴槽
２  浴槽側壁
４  排水口栓用連結鎖
５  支持具
７  吊持具
８  第１連結具
９  第２連結具
１２  カバー
１３  凹所
１４  溝
１５  吸着盤
【図１】
2005052451.tif 000003
【図２】
2005052451.tif 000004
(57)【要約】【課題】  アイアンクラブヘッドの一層の軽量化と低重心化を図る。【解決手段】  アイアンクラブヘッド本体のネック部を無くして円形と異なる形状の穴を形成し、該穴にシャフト装着用のソケットを嵌入してヘッド本体に固定するようにしたものである。【選択図】        図１
2005052401.tif 000002
【特許請求の範囲】
【請求項１】
アイアンクラブヘッド本体のネック部を無くして円形と異なる形状の穴を形成し、該穴にシャフト装着用のソケットを嵌入してヘッド本体に固定したことを特徴とするゴルフ用アイアンクラブヘッド。
【請求項２】
円形と異なる形状の穴の底部にシャフト位置決め用のピンを形成したことを特徴とする請求項１記載のゴルフ用アイアンクラブヘッド。
【請求項３】
円形と異なる形状の穴はアイアンクラブヘッド本体を貫通して形成されていることを特徴とする請求項１記載のゴルフ用アイアンクラブヘッド。
【発明の詳細な説明】
【技術分野】
【０００１】
本発明はヘッド本体の軽量化と低重心化が可能なゴルフ用アイアンクラブヘッドに関する。
【背景技術】
【０００２】
従来のアイアンクラブヘッドは、図４に示すように、ヘッド本体１とシャフト装着用のネック部２をステンレス金属等で一体に製造し、このネック部にシャフトを装着固定する構造となっている。
このような構造ではネック部２がヘッドから上方へ突出して形成されるため、ヘッド本体の重心が高くなってしまうという問題がある。そこで、ヘッド本体と一体のネック部が上方へ突出する高さを小さくし、ヘッド本体とは別体に軽い異種材料からなるホーゼル部をネック部に接合してシャフトを装着するようにし、低重心化を図るようにしたものが提案されている（特許文献１）。
【特許文献１】特許第２８４２２８２号
【発明の開示】
【発明が解決しようとする課題】
【０００３】
しかし特許文献１においても、ネック部は存在し、そのためさらに軽量化や低重心化を図ることは困難であった。また、ネック部の存在のために鍛造や鋳造における製造コストが大きくなるという問題があった。
【課題を解決するための手段】
【０００４】
本発明は上記課題を解決しようとするもので、アイアンクラブヘッドの一層の軽量化と低重心化を図るとともに、製造コストを下げられるようにすることを目的とする。
そのために本発明は、アイアンクラブヘッド本体のネック部を無くして円形と異なる形状の穴を形成し、該穴にシャフト装着用のソケットを嵌入してヘッド本体に固定したことを特徴とする。
【発明の効果】
【０００５】
以上のように本発明によれば、アイアンクラブヘッドのネック部を無くして円形と異なる形状の穴を形成し、この穴に軽量材料からなるソケットを固定してシャフトを装着するようにしたので、ソケットが動くのを防止でき、ヘッドを軽量化できるとともに、低重心化を図ることが可能であり、また、ネック部がないため鍛造、鋳造による製造コストを下げることが可能となる。
【発明を実施するための最良の形態】
【０００６】
以下、本発明の実施の形態について説明する。
図１は本実施形態のアイアンクラブヘッド本体を説明する概念図、図２は図１のクラブヘッドのシャフト装着部を説明する図、図３はシャフト装着部の他の例を示す図である。
図１に示すように、本実施形態のアイアンクラブヘッドは従来のヘッドに比してヘッド本体１から上方へ突出するネック部はなく、その部分にはシャフトを挿入して固定するための円形と異なる形状の穴３が形成されている。このようにヘッド本体からネック部を無くしたため、ヘッド本体が軽量化するとともに、上方へ突出したネック部がないためその分重心が下がり、低重心化を図ることができる。また、ネック部が無くなるため、鍛造、鋳造時の製法が簡単になり、鍛造の場合ムダがなく、また、金型コスト、鍛造コストが安くすむ。
【０００７】
図２に示すように、ステンレス金属からなるヘッド本体１に形成した円形と異なる形状の穴にはチタンやアルミニウムのような軽量材料からなるソケット４を圧入、溶接、接着等により固定する。この場合、ソケット挿入穴を円形と異なる形状の穴とすることにより、圧入時、衝撃時でソケットが動くのを防止できる。ここで円形と異なる形状とは、例えば楕円形、１角以上の角部をもつ任意形状、角型形状、周囲に突起や窪みを形成した任意形状等で、ソケットが動くのを防止できるものであればどのような形状でもよい。次いで、このソケットにシャフト５を通して接着材６等により固定する。
【０００８】
なお、図３に示すように、円形と異なる形状の穴の底部にシャフトを挿入したときの位置決め用のピン７を設けるようにしてもよい。また、円形と異なる形状の穴はヘッド本体１の底部まで貫通して形成してもよく、その場合に穴の大きさをヘッドの頂部側から底部側まで同じにする、或いはヘッド本体１の底部側では穴の大きさを小さくするようにしてもよい。
【図面の簡単な説明】
【０００９】
【図１】本実施形態のアイアンクラブヘッド本体を説明する概念図である。
【図２】図１のクラブヘッドのシャフト装着部を説明する図である。
【図３】穴の底部に位置決め用のピンを設けた例を説明する図である。
【図４】従来のアイアンクラブヘッドを説明する図である。
【符号の説明】
【００１０】
１…ヘッド本体、２…ネック部、３…円形と異なる形状の穴、４…ソケット、５…シャフト、６…接着材、７…シャフト位置決め用ピン。
【図１】
2005052401.tif 000003
【図２】
2005052401.tif 000004
【図３】
2005052401.tif 000005
【図４】
2005052401.tif 000006